(57)【要約】【課題】ＩＥＥＥ１３９４規格のシリアルバスに接続され、同一のサブユニットタイプとして規定される複数の機能部を備えた被制御機器において、制御機器がＡＶ／Ｃコマンド中のＳｕｂｕｎｉｔ＿ＩＤを常に０に固定して送信するものであっても、各機能部を制御対象として任意に選択設定できるようにする。【解決手段】ＶＣＲ（被制御機器）３に記憶部３５を設けて各機能部（ＶＨＳカセット記録再生部３２と８ｍｍカセット記録再生部３３）を特定するサブユニット特定情報とＳｕｂｕｎｉｔ＿ＩＤ情報との対応関係を記憶させ、その対応関係をＩＤ変更キー（Ａ）及び（Ｂ）：３６，３７で変更設定できるようにする。コマンド処理・制御部３４は、ＡＶ／Ｃコマンドの受信時に記憶部３５の設定状態を確認し、Ｓｕｂｕｎｉｔ＿ＩＤ＝０に設定されているカセット記録再生部３２又は３３を制御対象とする。【選択図】        図１
2004229079.tif 000002
【特許請求の範囲】
【請求項１】
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４規格のシリアルバスに接続され、前記規格において同一のサブユニットタイプとして規定される複数の機能部を備えた被制御機器であり、前記シリアルバスを介して制御機器側からＡＶ／Ｃコマンドセット（ＡＶ／Ｃ  Ｄｉｇｉｔａｌ  Ｉｎｔｅｒｆａｃｅ  Ｃｏｍｍａｎｄ  Ｓｅｔ）が供給されて前記各機能部が制御される被制御機器であって、
前記各機能部を特定するために予め有している各機能部毎のサブユニット特定情報に対して「０」から昇順に付与されるサブユニットＩＤ情報を対応させて記憶する記憶手段と、
前記記憶手段における各サブユニット特定情報と各サブユニットＩＤ情報との対応関係を変更するための変更手段と、
前記シリアルバスを介して制御機器側から前記ＡＶ／Ｃコマンドセットを受信し、この被制御機器の有する各機能部のサブユニットタイプと前記ＡＶ／Ｃコマンドセットにより指定されるサブユニットタイプが一致した場合、前記ＡＶ／Ｃコマンドセットにより指定されるサブユニットＩＤ情報と一致する前記記憶手段内のサブユニット情報に対応付けられているサブユニット特定情報で特定される機能部を制御対象として設定する制御対象設定手段とを具備したことを特徴とする被制御機器。
【発明の詳細な説明】
【０００１】
【発明の属する技術分野】
本発明はＩＥＥＥ（米国電気電子学会：Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４規格において同一のサブユニットタイプとして規定される複数の機能部を備えた被制御機器に係り、制御機器がＡＶ／Ｃコマンドセットのｓｕｂｕｎｉｔ＿ＩＤを０に固定している場合においても、前記の各機能部が制御されるようにするための改良に関する。
【０００２】
【従来の技術】
最近、ディジタル機器を単一のネットワーク上にまとめる通信インターフェイスとしてＩＥＥＥ１３９４規格が注目されている。
このＩＥＥＥ１３９４規格は、転送速度が１００，２００，４００，８００Ｍｂｐｓと高速のシリアル・インターフェイス規格であり、接続機器は最大で６３台、機器間の距離が４．５〜７２ｍとされており、また、音声や動画等の一定のタイミングで転送することが不可欠なデータを優先的に転送するＡｓｙｎｃｈｒｏｎｏｕｓ転送方式やバスを通じた電源供給方式が採用されていることからホストなしで機器同士を接続でき、家庭内のインフラ・ネットワークを構築するインターフェイスとして期待されている。
【０００３】
ところで、ＩＥＥＥ１３９４規格においては、ネットワークに接続された機器をリモート制御するためのコマンドとして１３９４  Ｔｒａｄｅ  ＡｓｓｏｃｉａｔｉｏｎによりＡＶ／Ｃコマンドセット（ＡＶ／Ｃ  Ｄｉｇｉｔａｌ  ｉｎｔｅｒｆａｃｅ  Ｃｏｍｍａｎｄ  Ｓｅｔ）セットが規定されている。
そして、ＡＶ／Ｃコマンドセットでは、機器自体を表現する「Ｕｎｉｔ」と機器の機能を表現する「Ｓｕｂｕｎｉｔ」という概念を規定している。
例えば、チューナ内蔵のビデオカセットレコーダ（以下、「ＶＣＲ」という）を想定した場合、図５（Ａ）に示すように、機器自体である「ＶＣＲ  ｕｎｉｔ」に対して、放送波を受信する機能を司る「Ｔｕｎｅｒ  ｓｕｂｕｎｉｔ」と受信した映像・音声データを記録再生する機能を司る「Ｔａｐｅ  ｒｅｃｏｒｄｅｒ／ｐｌａｙｅｒ  ｓｕｂｕｎｉｔ」が含まれるという構成になる。
【０００４】
ＡＶ／Ｃコマンドセットには、Ｕｎｉｔに向けて発行されるコマンドと、Ｓｕｂｕｎｉｔに向けて発行されるコマンドがある。
また、ＡＶ／Ｃコマンドセットによって制御される被制御機器（ｕｎｉｔ）の構成は、制御機器側からＳＵＢＵＮＩＴ＿ＩＮＦＯコマンドをその被制御機器へ向けて発行し、制御機器が被制御機器からのレスポンスを受信することで確認される。
即ち、前記のＶＣＲの例であれば、ＳＵＢＵＮＩＴ＿ＩＮＦＯコマンドに対するレスポンスとして図５（Ｂ）に示すようなＳｕｂｕｎｉｔのリストデータが返送されることになる。
同図における「ｍａｘ＿ｓｕｂｕｎｉｔ＿ＩＤ」はＵｎｉｔに含まれる同一のＳｕｂｕｎｉｔ＿ｔｙｐｅを示すＩＤの最大値であり、異なる機能のＳｕｂｕｎｉｔ毎に整数で０から昇順に付与され、Ｕｎｉｔ中のＳｕｂｕｎｉｔはＳｕｂｕｎｉｔ＿ｔｙｐｅとｓｕｂｕｎｉｔ＿ＩＤによって特定される。
【０００５】
前記のＶＣＲをＡＶ／ＣコマンドセットでＰＬＡＹ等の制御を行う場合には、制御機器が前記のＡＶ／ＣコマンドセットとしてＳｕｂｕｎｉｔ＿ｔｙｐｅ＝Ｔａｐｅ  ｒｅｃｏｒｄｅｒ／ｐｌａｙｅｒ  ｓｕｂｕｎｉｔ及びｓｕｂｕｎｉｔ＿ＩＤ＝０と共に制御コマンドを発行し、被制御機器がＩＥＥＥ１３９４規格の通信インターフェイスを介してＡＶ／Ｃコマンドセットを受信し、制御コマンドに基づいた制御を実行することになる。
【０００６】
このように、ＩＥＥＥ１３９４規格は被制御機器（ｕｎｉｔ）が複合的に異なる機能のＳｕｂｕｎｉｔを有していても、ＡＶ／Ｃコマンドセットによって制御機器側から各Ｓｕｂｕｎｉｔを選択的に制御することができ、また被制御機器（ｕｎｉｔ）に同一機能のＳｕｂｕｎｉｔ＿ｔｙｐｅが存在してもｓｕｂｕｎｉｔ＿ＩＤで区別することにより制御できるようになっている。
【０００７】
そして、ＩＥＥＥ１３９４規格のネットワークに接続される制御機器と被制御機器の制御条件に関連して、従来から様々な観点から提案がなされている。
例えば、下記の特許文献１では、被制御機器（ｕｎｉｔ）が複数の被制御部分（Ｓｕｂｕｎｉｔ）を備えると共に制御機器も複数ある場合に、制御機器側から各被制御部分に適正な制御動作を行わせるためのシステムが提案されており、また、特許文献２においては、制御機器のアプリケーションが被制御機器のＳｕｂｕｎｉｔ＿ｔｙｐｅに対応していない場合であっても、可能な範囲で被制御機器を複数のＳｕｂｕｎｉｔ＿ｔｙｐｅに対応させ、制御機器から被制御機器が対応しているＳｕｂｕｎｉｔ＿ｔｙｐｅの情報を取得し、前記アプリケーションに対応しているＳｕｂｕｎｉｔ＿ｔｙｐｅに被制御機器を設定するためのシステムが提案されている。
【０００８】
【特許文献１】
特開２００２−６４８８４号公報
【特許文献２】
特開２００２−３１５０７７号公報
【０００９】
【発明が解決しようとする課題】
ところで、ＩＥＥＥ１３９４規格に対応した従来の被制御機器にはＳｕｂｕｎｉｔ＿ｔｙｐｅが同一のＳｕｂｕｎｉｔを複数装備したものが殆ど無かったため、Ｓｕｂｕｎｉｔ＿ＩＤが１以上のＳｕｂｕｎｉｔを制御するアプリケーションを実装していない制御機器が多く、それらの制御機器ではＳｕｂｕｎｉｔ＿ＩＤを０に固定してＡＶ／Ｃコマンドセットを発行するようになっている。
従って、図６（Ａ）に示すようなダブルカセットのビデオデッキとチューナ部を備えたＶＣＲを想定すると、ＶＣＲ  Ｕｎｉｔ内に同一の機能部（即ち、同一のサブユニットとして規定されるもの）に相当する２つのカセット記録再生部Ａ，Ｂが存在することになり、Ｓｕｂｕｎｉｔの構成は、同図（Ｂ）のようにＴｕｎｅｒ  ｓｕｂｕｎｉｔ（Ｓｕｂｕｎｉｔ＿ＩＤ＝０）とＴａｐｅ  ｒｅｃｏｒｄｅｒ／ｐｌａｙｅｒ  ｓｕｂｕｎｉｔ（Ｓｕｂｕｎｉｔ＿ＩＤ＝０）とＴａｐｅ  ｒｅｃｏｒｄｅｒ／ｐｌａｙｅｒ  ｓｕｂｕｎｉｔ（Ｓｕｂｕｎｉｔ＿ＩＤ＝１）となるが、前記のようにＳｕｂｕｎｉｔ＿ＩＤを０に固定した制御機器では、Ｓｕｂｕｎｉｔ＿ＩＤが０であるカセット記録再生部ＡをＡＶ／Ｃコマンドセットで制御できても、Ｓｕｂｕｎｉｔ＿ＩＤが１であるカセット記録再生部Ｂは制御できないことになる。
【００１０】
換言すれば、ＩＥＥＥ１３９４規格の通信ネットワークには多種多様な被制御機器が接続される可能性があり、当然にその中にはＳｕｂｕｎｉｔ＿ｔｙｐｅが同一である複数のＳｕｂｕｎｉｔを備えた機器（Ｕｎｉｔ）もあり得るが、従来の多くの制御機器からは複数のＳｕｂｕｎｉｔの内の１つだけしか制御できないことになる。
【００１１】
そこで、本発明は、ＩＥＥＥ１３９４規格の通信ネットワークにおいて、制御機器がＡＶ／Ｃコマンドセット中のＳｕｂｕｎｉｔ＿ＩＤを常に０に固定して送信するものであっても、被制御機器に対するユーザ設定により、Ｓｕｂｕｎｉｔ＿ｔｙｐｅが同一である複数のＳｕｂｕｎｉｔの内の１つを選択的に制御できるようにすることを目的として創作された。
【００１２】
【課題を解決するための手段】
本発明は、ＩＥＥＥ１３９４規格のシリアルバスに接続され、前記規格において同一のサブユニットタイプとして規定される複数の機能部を備えた被制御機器であり、前記シリアルバスを介して制御機器側からＡＶ／Ｃコマンドセットが供給されて前記各機能部が制御される被制御機器であって、前記各機能部を特定するために予め有している各機能部毎のサブユニット特定情報に対して「０」から昇順に付与されるサブユニットＩＤ情報を対応させて記憶する記憶手段と、前記記憶手段における各サブユニット特定情報と各サブユニットＩＤ情報との対応関係を変更するための変更手段と、前記シリアルバスを介して制御機器側から前記ＡＶ／Ｃコマンドセットを受信し、この被制御機器の有する各機能部のサブユニットタイプと前記ＡＶ／Ｃコマンドセットにより指定されるサブユニットタイプが一致した場合、前記ＡＶ／Ｃコマンドセットにより指定されるサブユニットＩＤ情報と一致する前記記憶手段内のサブユニット情報に対応付けられているサブユニット特定情報で特定される機能部を制御対象として設定する制御対象設定手段とを具備したことを特徴とする被制御機器に係る。
【００１３】
本発明によれば、記憶手段における各機能部のサブユニット特定情報と各サブユニットＩＤ情報との対応関係を変更手段によって変更でき、ＡＶ／Ｃコマンドセットを受信した場合に、制御対象設定手段が記憶手段の対応関係を参照して制御対象となる機能部を設定する。
従って、制御機器がサブユニットＩＤを固定して送信するものであっても、被制御機器側において何れの機能部が制御対象となるかを変更手段で選択設定しておけば、制御機器側からその選択設定した機能部を制御させることができる。
【００１４】
【発明の実施の形態】
以下、本発明の被制御機器の実施形態を、図１から図４を用いて詳細に説明する。
先ず、図１は、ＩＥＥＥ１３９４規格のシリアルバス１に対して制御機器であるＤＴＶ（ディジタルテレビ）２と被制御機器であるチューナ内蔵のＶＣＲ３が接続されている場合の各機器２，３の機能ブロック図を示す。
但し、シリアルバス１には他の被制御機器も接続されているが同図では省略してある。
【００１５】
ここに、ＤＴＶ２は、その主機能を制御するＤＴＶ制御部２１と、ＩＥＥＥ１３９４規格に対応するＵｎｉｔ制御用アプリケーションプログラムを実装したＵｎｉｔ制御部２２と、ＩＥＥＥ１３９４規格の通信Ｉ／Ｆ２３と、操作Ｉ／Ｆ２４とを内蔵している。
そして、外部のリモコン２５からの信号を操作Ｉ／Ｆ２４で受信して復調し、その復調信号に基づいて、ＤＴＶ制御部２１がＤＴＶ２の主機能である表示・音声出力を制御し、また、Ｕｎｉｔ制御部２２が通信Ｉ／Ｆ２３を介してシリアルバス１に接続されたＶＣＲ３等の各被制御機器と通信を実行してそれらを制御するようになっている。
但し、Ｕｎｉｔ制御部２２のアプリケーションプログラムは、ＡＶ／Ｃコマンドセットを各被制御機器に発行する場合に、Ｕｎｉｔとしての各被制御機器が同一のＳｕｂｕｎｉｔ＿ｔｙｐｅに相当する機能部を複数内蔵していても、Ｓｕｂｕｎｉｔ＿ＩＤを０に固定してＡＶ／Ｃコマンドセットに組み込むだけであり、各被制御部に係るＳｕｂｕｎｉｔ＿ＩＤを０，１，２…のように設定して各機能部を区別させることは行わない。
【００１６】
一方、ＶＣＲ３は、チューナ部３１と、ＶＨＳカセット記録再生部３２と、８ｍｍカセット記録再生部３３と、ＩＥＥＥ１３９４規格のＡＶ／Ｃコマンドを処理して前記の各機能部３１，３２，３３を制御するアプリケーションプログラムを実装したコマンド処理・制御部３４と、ＶＨＳカセット記録再生部３２と８ｍｍカセット記録再生部３３のサブユニット特定情報とそれらに係るＳｕｂｕｎｉｔ＿ＩＤの対応関係を記憶する記憶部３５と、２つのＩＤ変更キー（Ａ）及び（Ｂ）：３６，３７と、ＩＥＥＥ１３９４規格の通信Ｉ／Ｆ３８を内蔵している。
尚、この実施形態では、各ＩＤ変更キー（Ａ）及び（Ｂ）：３６，３７はＶＣＲ３のパネル面に装着してあり、外部から自由に操作できるようになっている。
【００１７】
この実施形態の第１の特徴は、前記のように記憶部３５とＩＤ変更キー（Ａ）及び（Ｂ）：３６，３７を設け、各ＩＤ変更キー（Ａ）及び（Ｂ）：３６，３７の操作によって記憶部３５における前記の対応関係を変更できる点にある。
即ち、ＶＨＳカセット記録再生部３２と８ｍｍカセット記録再生部３３はＩＥＥＥ１３９４規格で同一機能部とみなされることからＳｕｂｕｎｉｔ＿ｔｙｐｅがＴａｐｅ  ｒｅｃｏｒｄｅｒ／ｐｌａｙｅｒとなり、且つ、単一のＵｎｉｔであるＶＣＲ３に内蔵されているために、一方のＳｕｂｕｎｉｔ＿ＩＤが０となり、他方のＳｕｂｕｎｉｔ＿ＩＤが１となるが、それを固定させずに各ＩＤ変更キー（Ａ）及び（Ｂ）：３６，３７で変更できるようにしてある。
具体的には、ＩＤ変更キー（Ａ）を押した場合には、図２（Ａ）に示すように、Ｓｕｂｕｎｉｔ＿ＩＤ＝０にＶＨＳカセット記録再生部３２のサブユニット特定情報が、Ｓｕｂｕｎｉｔ＿ＩＤ＝１に８ｍｍカセット記録再生部３３のサブユニット特定情報が対応付けられ、ＩＤ変更キー（Ｂ）を押した場合には、図２（Ｂ）に示すように、前記と逆の対応付けがなされ、各ＩＤ変更キー（Ａ）及び（Ｂ）：３６，３７の操作によって記憶部３５の対応付け関係を自由に更新できるようになっている。
尚、「サブユニット特定情報」は、ＶＣＲ３のシステム内でコマンド処理・制御部３４がＶＨＳカセット記録再生部３２か８ｍｍカセット記録再生部３３かを区別できるものであればよく、各記録再生部３２，３３と対応付けられた簡単なコード情報で表現されていれば足りる。
【００１８】
また、この実施形態の第２の特徴は、前記のコマンド処理・制御部３４のアプリケーションプログラムにある。
即ち、コマンド処理・制御部３４は、ＤＶＴ２が送信するＡＶ／Ｃコマンドセットをシリアルバス１から通信Ｉ／Ｆ３８を介して受信するが、ＡＶ／ＣコマンドセットのＳｕｂｕｎｉｔ＿ｔｙｐｅがＴａｐｅ  ｒｅｃｏｒｄｅｒ／ｐｌａｙｅｒであり、そのコマンドセットに操作上の制御コマンドが含まれている場合には、記録部３５の前記対応付けを参照し、ＶＨＳカセット記録再生部３２又は８ｍｍカセット記録再生部３３の何れを制御対象とするかを選択するようになっている。
【００１９】
次に、ＤＴＶ２からＶＣＲ３のカセット記録再生部３２又は３３を制御する場合の通信・制御手順について、図３を参照しながら説明する。
先ず、ＤＴＶ２に対してリモコン２５からメニュー画面の表示指示がなされると、Ｕｎｉｔ制御部２２がＡＶ／ＣコマンドセットにＳＵＢＵＮＩＴ＿ＩＮＦＯを含めてシリアルバス１へ送出する（Ｔ１，Ｔ２）。
ＡＶ／ＣコマンドセットのＳＵＢＵＮＩＴ＿ＩＮＦＯを受信した各被制御機器（Ｕｎｉｔ）はＳｕｂｕｎｉｔリストを含むレスポンスをＤＴＶ２に返送するが、ＤＴＶ２のＵｎｉｔ制御部２２は返送された各被制御機器のＳｕｂｕｎｉｔリストに基づいてメニュー表示画面を生成し、それをＤＴＶ制御部２１によって表示させる（Ｃ１，Ｔ３）。
【００２０】
その場合、ＶＣＲ３のコマンド処理・制御部３４によるレスポンスのＳｕｂｕｎｉｔリストは図６（Ｂ）に示すような構成となるが、ＤＶＴ２はＴａｐｅ  ｒｅｃｏｒｄｅｒ／ｐｌａｙｅｒ  ｕｎｉｔのＵｎｉｔ＿ＩＤが０と１になっていることは無視し、Ｔａｐｅ  ｒｅｃｏｒｄｅｒ／ｐｌａｙｅｒ  ｕｎｉｔは単一であると認識する。
従って、メニュー表示画面で各被制御機器（ｕｎｉｔ）毎にＳｕｂｕｎｉｔ＿ｔｙｐｅの構成を示す場合には、ＶＣＲ３に関してはＴｕｎｅｒとＴａｐｅ  ｒｅｃｏｒｄｅｒ／ｐｌａｙｅｒだけとなり、Ｔａｐｅ  ｒｅｃｏｒｄｅｒ／ｐｌａｙｅｒにＶＨＳカセット記録再生部３２と８ｍｍカセット記録再生部３３が含まれることまでは表示しない。
【００２１】
そして、リモコン２５の操作によってメニュー表示画面中のＵｎｉｔ：ＶＣＲ，Ｓｕｂｕｎｉｔ＿ｔｙｐｅ：Ｔａｐｅ  ｒｅｃｏｒｄｅｒ／ｐｌａｙｅｒが選択されると、ＤＴＶ２のＵｎｉｔ制御部２２はＴａｐｅ  ｒｅｃｏｒｄｅｒ／ｐｌａｙｅｒに係るＧＵＩ（Ｇｒａｐｈｉｃａｌ  Ｕｓｅｒ  Ｉｎｔｅｒｆａｃｅ）をＤＴＶ制御部２１へ出力し、ＤＴＶ制御部２１がそのＧＵＩを画面に表示させる（Ｔ４，Ｔ５）。
そのＧＵＩはＴａｐｅ  ｒｅｃｏｒｄｅｒ／ｐｌａｙｅｒに共通の一般的なものであり、図４に示すように再生／録画／停止／巻戻し／早送りの操作アイコンを表示させるものである。
【００２２】
次に、表示させたＧＵＩに対してリモコン２５の操作による制御指示がなされると、ＤＴＶ２のＵｎｉｔ制御部２２はＵｎｉｔ：ＶＣＲ，Ｓｕｂｕｎｉｔ＿ｔｙｐｅ：Ｔａｐｅ  ｒｅｃｏｒｄｅｒ／ｐｌａｙｅｒ，Ｓｕｂｕｎｉｔ＿ＩＤ＝０と共にその指示に係る制御コマンドをＡＶ／Ｃコマンドセットに含めてシリアルバス１へ送出する（Ｔ６，Ｔ７）。
尚、前記のとおりＤＴＶ２のＵｎｉｔ制御部２２が発行するＳｕｂｕｎｉｔ＿ＩＤは０に固定されている。
【００２３】
前記のＡＶ／ＣコマンドセットはＵｎｉｔ：ＶＣＲ３のＳｕｂｕｎｉｔ＿ｔｙｐｅ：Ｔａｐｅ  ｒｅｃｏｒｄｅｒ／ｐｌａｙｅｒに対して発行されたものであり、ＶＣＲ３のコマンド処理・制御部３４は、制御コマンドを含むＡＶ／Ｃコマンドセットを受信すると、前記の特徴に基づいて記憶部３５の設定状態を確認した上で、ＶＨＳカセット記録再生部３２又は８ｍｍカセット記録再生部３３の何れかを制御する（Ｃ２，Ｃ３）。
即ち、記憶部３５においてＳｕｂｕｎｉｔ＿ＩＤ＝０に対応付けられているサブユニット特定情報に対応したカセット記録再生部３２又は３３を制御対象に設定して制御を実行する。
従って、記憶部３５の対応付け関係が図２（Ａ）のように設定されていればＶＨＳカセット記録再生部３２が制御対象となり、図２（Ｂ）のように設定されていれば８ｍｍカセット記録再生部３３が制御対象となる。
【００２４】
以降、ＧＵＩに対してリモコン２５の操作による制御指示がなされる度にＶＣＲ３のコマンド処理・制御部３４がその制御コマンドを含むＡＶ／Ｃコマンドセットを受信することになるが、コマンド処理・制御部３４は、その度に記憶部３５の対応付け関係を確認して、Ｓｕｂｕｎｉｔ＿ＩＤ＝０側のカセット記録再生部３２又は３３を制御コマンドの内容に応じて制御する。
【００２５】
そして、この実施形態では、前記の特徴に基づいて、ユーザがＶＣＲ３のＩＤ変更キー（Ａ）及び（Ｂ）：３６，３７を操作するだけで記憶部３５の対応付け関係を変更することができる。
従って、ユーザはＶＣＲ３のＶＨＳカセット記録再生部３２と８ｍｍカセット記録再生部３３の内の利用したい方を予めＩＤ変更キー（Ａ）及び（Ｂ）：３６，３７を操作して選択しておくことができ、ＤＴＶ２のＵｎｉｔ制御部２２のアプリケーションプログラムが常にＳｕｂｕｎｉｔ＿ＩＤを０に固定して送信するものであっても、双方のカセット記録再生部３２，３３を選択的に活用できる。
【００２６】
また、ＤＴＶ２のＵｎｉｔ制御部２２のアプリケーションプログラムがＳｕｂｕｎｉｔ＿ＩＤを固定せずに、０，１，２…のようにＳｕｂｕｎｉｔ＿ｔｙｐｅがＴａｐｅ  ｒｅｃｏｒｄｅｒ／ｐｌａｙｅｒである複数の機能部を区別するものであっても、ＶＣＲ３のコマンド処理・制御部３４が前記と同様の手順で各カセット記録再生部３２又は３３を制御対象に設定すればよく、そのようなアプリケーションプログラムに対しても対応させることができる。
【００２７】
尚、この実施形態ではＶＣＲ３がＴａｐｅ  ｒｅｃｏｒｄｅｒ／ｐｌａｙｅｒとして２つのカセット記録再生部３２，３３を内蔵している場合について説明したが、３つ以上のカセット記録再生部を内蔵している場合には、記憶部３５のＳｕｂｕｎｉｔ＿ＩＤを０，１，２…として各カセット記録再生部のサブユニット特定情報と対応付け関係を持たせておけばよい。
また、この実施形態では記憶部３５の設定状態をＩＤ変更キー（Ａ）及び（Ｂ）：３６，３７の操作によって変更させているが、キーに限らずスイッチ等の他の変更方式を適用してもよく、更には、ＶＣＲ３に専用リモコンがある場合には、そのリモコンから設定するような変更方式であってもよい。
【００２８】
【発明の効果】
本発明の被制御機器は、以上の構成を有していることにより、次のような効果を奏する。
ＩＥＥＥ１３９４規格のシリアルバスに接続され、前記規格において同一のサブユニットタイプとして規定される複数の機能部を備えた被制御機器において、制御機器がＡＶ／Ｃコマンドセット中のＳｕｂｕｎｉｔ＿ＩＤを常に０に固定して送信するものであっても、各機能部の１つを簡単な設定操作によって制御機器による制御対象として任意に選択設定できるようにし、制御機器側の前記条件によって機能部の活用が妨げられないようにすることができる。
【図面の簡単な説明】
【図１】ＩＥＥＥ１３９４規格のシリアルバスに接続されたＤＴＶ（制御機器）と本発明の実施形態に係るＶＣＲ（被制御機器）の機能ブロック図である。
【図２】記憶部におけるＳｕｂｕｎｉｔ＿ＩＤとサブユニット特定情報の対応付け設定状態を示す図である。
【図３】ＤＴＶからＶＣＲのカセット記録再生部を制御する場合の通信・制御手順を示すフローチャートである。
【図４】ＤＴＶ画面に表示されるＴａｐｅ  ｒｅｃｏｒｄｅｒ／ｐｌａｙｅｒのＧＵＩを示す図である。
【図５】ＶＣＲ  ｕｎｉｔのＳｕｂｕｎｉｔの構成例を示す図（Ａ）及びそのＳｕｂｕｎｉｔリストを示す図（Ｂ）である。
【図６】ダブルカセットのビデオデッキを備えたＶＣＲの内蔵機能部の構成（Ａ）及びＩＥＥＥ１３９４規格のＳｕｂｕｎｉｔ構成（Ｂ）の対応関係を示す図である。
【符号の説明】
１…ＩＥＥＥ１３９４規格のシリアルバス、２…ＤＴＶ、３…ＶＣＲ、２１…ＤＴＶ制御部、２２…Ｕｎｉｔ制御部、２３，３８…通信Ｉ／Ｆ、２４…操作Ｉ／Ｆ、２５…リモコン、３１…チューナ部、３２…ＶＨＳカセット記録再生部、３３…８ｍｍカセット記録再生部、３４…コマンド処理・制御部、３５…記憶部、３６，３７…ＩＤ変更キー（Ａ），（Ｂ）。
【図１】
2004229079.tif 000003
【図２】
2004229079.tif 000004
【図３】
2004229079.tif 000005
【図４】
2004229079.tif 000006
【図５】
2004229079.tif 000007
【図６】
2004229079.tif 000008